(57)【要約】【課題】  変形、損傷が生じにくいルアー用連結金具、および、ルアー用連結金具と同様に機能する擬似餌セットを提供する。【解決手段】  ルアー用連結金具１は、道糸３側に位置する半円弧の第１端部２０と、第１端部２０から伸びてルアー５側に位置する半円弧の第２端部３０と、を有する第１スナップ１０と、道糸３側に位置する半円弧の第３端部６０と、第３端部６０から伸びてルアー５側に位置する半円弧の第４端部７０と、を有する第２スナップ５０と、第１端部２０および第３端部６０に連結され第１端部２０および第３端部６０を道糸３に連結する連結環８０と、を備え、第２端部３０および第４端部７０は、ルアー５に連結される。【選択図】  図１
0003216468.tif 000002
【実用新案登録請求の範囲】
【請求項１】
道糸側に位置する半円弧の第１端部と、前記第１端部から伸びてルアー側に位置する半円弧の第２端部と、を有する第１スナップと、
前記道糸側に位置する半円弧の第３端部と、前記第３端部から伸びて前記ルアー側に位置する半円弧の第４端部と、を有する第２スナップと、
前記第１端部および前記第３端部に連結され前記第１端部および前記第３端部を道糸に連結する連結環と、を備え、
前記第２端部および前記第４端部は、前記ルアーに連結されること、
を特徴とするルアー用連結金具。
【請求項２】
請求項１に記載のルアー用連結金具であって、
前記第１端部は、両側にそれぞれ伸びた第１枝部および第２枝部を有し、前記第２端部は、両側にそれぞれ伸びた第３枝部および第４枝部を有し、
前記第１枝部は、第１中間枝部を介して前記第３枝部に続き、前記第２枝部は、前記第２端部に向かう中間の第１曲げ部において前記第１中間枝部に向けて曲がった第２中間枝部を有し、
前記第２中間枝部は、前記第１枝部に対する前記第２枝部の弾性によって前記第１中間枝部に掛けられる第１掛け部を有し、前記第４枝部は、前記第３枝部に対する弾性によって前記第１曲げ部に掛けられる第２掛け部を有し、
前記第３端部は、両側にそれぞれ伸びた第５枝部および第６枝部を有し、前記第４端部は、両側にそれぞれ伸びた第７枝部および第８枝部を有し、
前記第５枝部は、第３中間枝部を介して前記第７枝部に続き、前記第６枝部は、前記第４端部に向かう中間の第２曲げ部において前記第３中間枝部に向けて曲がった第４中間枝部を有し、
前記第４中間枝部は、前記第５枝部に対する前記第６枝部の弾性によって前記第３中間枝部に掛けられる第３掛け部を有し、前記第８枝部は、前記第７枝部に対する弾性によって前記第２曲げ部に掛けられる第４掛け部を有すること、
を特徴とするルアー用連結金具。
【請求項３】
請求項１に記載のルアー用連結金具であって、
前記第１端部は、両側にそれぞれ伸びた第１枝部および第２枝部を有し、前記第２端部は、両側にそれぞれ伸びた第３枝部および第４枝部を有し、
前記第１枝部は、第１中間枝部を介して前記第３枝部に続き、前記第２枝部は、前記第２端部に向かう中間の第１曲げ部において前記第１中間枝部に向けて曲がった第２中間枝部を有し、
前記第２中間枝部は、前記第１中間枝部に固定された第１固定部を有し、前記第４枝部は、前記第３枝部に対する弾性によって前記第１曲げ部に掛けられる第１単独掛け部を有し、
前記第３端部は、両側にそれぞれ伸びた第５枝部および第６枝部を有し、前記第４端部は、両側にそれぞれ伸びた第７枝部および第８枝部を有し、
前記第５枝部は、第３中間枝部を介して前記第７枝部に続き、前記第６枝部は、前記第４端部に向かう中間の第２曲げ部において前記第３中間枝部に向けて曲がった第４中間枝部を有し、
前記第４中間枝部は、前記第３中間枝部に固定された第２固定部を有し、前記第８枝部は、前記第７枝部に対する弾性によって前記第２曲げ部に掛けられる第２単独掛け部を有すること、
を特徴とするルアー用連結金具。
【請求項４】
請求項３に記載のルアー用連結金具であって、
前記第１固定部において、前記第１中間枝部と前記第２中間枝部は、互いに溶接で固定され、
前記第２固定部において、前記第３中間枝部と前記第４中間枝部は、互いに溶接で固定され、
前記連結環は、スプリットリングであること、
を特徴とするルアー用連結金具。
【請求項５】
請求項１から請求項４までのいずれか一つに記載のルアー用連結金具であって、
前記第１スナップおよび前記第２スナップは、配置が互いに対称であること、
を特徴とするルアー用連結金具。
【請求項６】
請求項５に記載のルアー用連結金具であって、
前記第１スナップおよび前記第２スナップは、形状が互いに対称であること、
を特徴とするルアー用連結金具。
【請求項７】
道糸に連結される連結環と、ルアーの先端に位置するルアー連結部と、前記連結環と前記ルアー連結部との間のルアー用連結金具と、を有する擬似餌セットであって、
前記ルアー用連結金具は、請求項１から請求項６までのいずれか１つに記載のルアー用連結金具であること、
を特徴とする擬似餌セット。
【考案の詳細な説明】
【技術分野】
【０００１】
本考案は、道糸とルアーとの連結に適用されるルアー用連結金具、およびルアー用連結金具とルアーとをセットにした擬似餌セットに関する。
に関する。
【背景技術】
【０００２】
ルアー等の擬似餌を用いた釣りが知られている。ルアーは、対象とする魚種によって種々の形態が適用される。つまり、ルアーは、そのときの状況に応じて交換されることがある。ルアーの交換を容易にするために、道糸とルアーとの間に連結金具が適用されることがある（特許文献１参照）。
【０００３】
特許文献１に記載の擬似餌セットは、ルアーに釣り用スナップが取り付けられている（特許文献１段落００２１、００２２、図２）。
これにより、ルアー等の擬似餌を、容易且つ強固に連結することができる釣り具を提供できる（同段落００１５）とされている。
【先行技術文献】
【特許文献】
【０００４】
【特許文献１】特開２０１５−６１５７号公報
【考案の概要】
【考案が解決しようとする課題】
【０００５】
しかしながら、魚体の種類は様々であり自然界では想定以上の獲物が存在する場合がある。このような大きな獲物の場合、強度があると思われていた釣り用スナップが変形したり、損傷したりすることがある。
【０００６】
本考案は、このような想定外の獲物に対しても対応でき、変形、損傷が生じにくいルアー用連結金具を提供することを目的とする。
また、本考案は、変形、損傷が生じにくいルアー用連結金具を適用した擬似餌セットを提供することを他の目的とする。
【課題を解決するための手段】
【０００７】
本考案に係るルアー用連結金具は、道糸側に位置する半円弧の第１端部と、前記第１端部から伸びてルアー側に位置する半円弧の第２端部と、を有する第１スナップと、前記道糸側に位置する半円弧の第３端部と、前記第３端部から伸びて前記ルアー側に位置する半円弧の第４端部と、を有する第２スナップと、前記第１端部および前記第３端部に連結され前記第１端部および前記第３端部を道糸に連結する連結環と、を備え、前記第２端部および前記第４端部は、前記ルアーに連結されること、を特徴とする。
したがって、本考案に係るルアー用連結金具は、第１スナップと第２スナップを並列に連結するので、変形、損傷が生じにくくなる。
【０００８】
また、本考案に係るルアー用連結金具の一実施の形態においては、前記第１端部は、両側にそれぞれ伸びた第１枝部および第２枝部を有し、前記第２端部は、両側にそれぞれ伸びた第３枝部および第４枝部を有し、前記第１枝部は、第１中間枝部を介して前記第３枝部に続き、前記第２枝部は、前記第２端部に向かう中間の第１曲げ部において前記第１中間枝部に向けて曲がった第２中間枝部を有し、前記第２中間枝部は、前記第１枝部に対する前記第２枝部の弾性によって前記第１中間枝部に掛けられる第１掛け部を有し、前記第４枝部は、前記第３枝部に対する弾性によって前記第１曲げ部に掛けられる第２掛け部を有し、前記第３端部は、両側にそれぞれ伸びた第５枝部および第６枝部を有し、前記第４端部は、両側にそれぞれ伸びた第７枝部および第８枝部を有し、前記第５枝部は、第３中間枝部を介して前記第７枝部に続き、前記第６枝部は、前記第４端部に向かう中間の第２曲げ部において前記第３中間枝部に向けて曲がった第４中間枝部を有し、前記第４中間枝部は、前記第５枝部に対する前記第６枝部の弾性によって前記第３中間枝部に掛けられる第３掛け部を有し、前記第８枝部は、前記第７枝部に対する弾性によって前記第２曲げ部に掛けられる第４掛け部を有すること、を特徴とする。
【０００９】
また、本考案に係るルアー用連結金具の一実施の形態においては、前記第１端部は、両側にそれぞれ伸びた第１枝部および第２枝部を有し、前記第２端部は、両側にそれぞれ伸びた第３枝部および第４枝部を有し、前記第１枝部は、第１中間枝部を介して前記第３枝部に続き、前記第２枝部は、前記第２端部に向かう中間の第１曲げ部において前記第１中間枝部に向けて曲がった第２中間枝部を有し、前記第２中間枝部は、前記第１中間枝部に固定された第１固定部を有し、前記第４枝部は、前記第３枝部に対する弾性によって前記第１曲げ部に掛けられる第１単独掛け部を有し、前記第３端部は、両側にそれぞれ伸びた第５枝部および第６枝部を有し、前記第４端部は、両側にそれぞれ伸びた第７枝部および第８枝部を有し、前記第５枝部は、第３中間枝部を介して前記第７枝部に続き、前記第６枝部は、前記第４端部に向かう中間の第２曲げ部において前記第３中間枝部に向けて曲がった第４中間枝部を有し、前記第４中間枝部は、前記第３中間枝部に固定された第２固定部を有し、前記第８枝部は、前記第７枝部に対する弾性によって前記第２曲げ部に掛けられる第２単独掛け部を有すること、を特徴とする。
また、本考案に係るルアー用連結金具の一実施の形態においては、前記第１固定部において、前記第１中間枝部と前記第２中間枝部は、互いに溶接で固定され、前記第２固定部において、前記第３中間枝部と前記第４中間枝部は、互いに溶接で固定され、前記連結環は、スプリットリングであること、を特徴とする。
【００１０】
また、本考案に係るルアー用連結金具の一実施の形態においては、前記第１スナップおよび前記第２スナップは、配置が互いに対称であること、を特徴とする。
また、本考案に係るルアー用連結金具の一実施の形態においては、前記第１スナップおよび前記第２スナップは、形状が互いに対称であること、を特徴とする。
【００１１】
また、本考案に係る擬似餌セットは、道糸に連結される連結環と、ルアーの先端に位置するルアー連結部と、前記連結環と前記ルアー連結部との間のルアー用連結金具と、を有する擬似餌セットであって、前記ルアー用連結金具は、本考案に係るルアー用連結金具であること、を特徴とする。
したがって、本考案に係る擬似餌セットは、変形、損傷が生じにくいルアー用連結金具を適用するので、変形、損傷が生じにくいという効果を奏する。
【考案の効果】
【００１２】
本考案に係るルアー用連結金具は、２つのスナップを並列に連結するので、変形、損傷が生じにくいという効果を奏する。
また、本考案に係る擬似餌セットは、変形、損傷が生じにくいルアー用連結金具を適用するので、変形、損傷が生じにくいという効果を奏する。
【図面の簡単な説明】
【００１３】
【図１】本考案の実施の形態１に係るルアー用連結金具および擬似餌セットを平面的に示す模式図である。
【図２】図１に示したルアー用連結金具の第１スナップを拡大して示す拡大模式図であり、（Ａ）は、第２掛け部が第１曲げ部から解放された状態を示し、（Ｂ）は、第２掛け部が第１曲げ部に掛けられた状態を示す。
【図３】本考案の実施の形態２に係るルアー用連結金具および擬似餌セットを平面的に示す模式図である。
【図４】図３に示したルアー用連結金具の第１スナップを拡大して示す拡大模式図であり、スプリットリングを第１端部に対する連結環として使用できる状態を説明する模式図である。
【考案を実施するための形態】
【００１４】
以下、本考案に係るルアー用連結金具および擬似餌セットについて、図面（図１〜図４）を参照して説明する。
[実施の形態１（図１、図２）] 
図１および図２を参照して、本考案の実施の形態１に係るルアー用連結金具、および擬似餌セットについて説明する。
図１は、本考案の実施の形態１に係るルアー用連結金具１および擬似餌セット２を平面的に示す模式図である。
図２は、図１に示したルアー用連結金具１の第１スナップ１０を拡大して示す拡大模式図であり、（Ａ）は、第２掛け部３３が第１曲げ部２４から解放された状態を示し、（Ｂ）は、第２掛け部３３が第１曲げ部２４に掛けられた状態を示す。
【００１５】
本実施の形態に係るルアー用連結金具１は、道糸３側に位置する半円弧の第１端部２０と、第１端部２０から伸びてルアー５側に位置する半円弧の第２端部３０と、を有する第１スナップ１０と、道糸３側に位置する半円弧の第３端部６０と、第３端部６０から伸びてルアー５側に位置する半円弧の第４端部７０と、を有する第２スナップ５０と、第１端部２０および第３端部６０に連結され第１端部２０および第３端部６０を道糸３に連結する連結環８０と、を備え、第２端部３０および第４端部７０は、ルアー５に連結される。
ルアー用連結金具１は、道糸３とルアー５との間に第１スナップ１０および第２スナップ５０を並列に連結するので、強度が向上し、大きい魚体によるスナップの変形、損傷を抑制しやすくなり、ルアー５の交換性を維持して釣果の向上を図りやすい。なお、ルアー５は、例えば小型の魚体を模した形状である。
【００１６】
ルアー用連結金具１の材料は、金属線（例えば、直径０．２〜１ｍｍのステンレス鋼、銅など）であり、第１端部２０、第２端部３０、第３端部６０および第４端部７０において適度の強度と弾性（バネ性）を有する。ルアー用連結金具１は、全体として一体である。つまり、ルアー用連結金具１は、弾性によって解放され、あるいは、弾性によって、連結環８０と連結され、あるいはルアー連結部６と連結された状態で閉じられる。
連結環８０は、例えば単一リング、あるいはスプリットリング８１（図３、図４参照）であり、容易に第１端部２０および第３端部６０を連結する。また、ルアー５が有するルアー連結部６は、弾性によって、第２端部３０および第４端部７０に連結される。第２端部３０および第４端部７０のルアー連結部６に対する連結については、後述する。
【００１７】
上記したとおり、ルアー用連結金具１は、第１スナップ１０および第２スナップ５０を備える。
第１スナップ１０において、第１端部２０は、両側にそれぞれ伸びた第１枝部２１および第２枝部２３を有し、第２端部３０は、両側にそれぞれ伸びた第３枝部３１および第４枝部３２を有し、第１枝部２１は、第１中間枝部２２を介して第３枝部３１に続き、第２枝部２３は、第２端部３０に向かう中間の第１曲げ部２４において第１中間枝部２２に向けて曲がった第２中間枝部２５を有し、第２中間枝部２５は、第１枝部２１に対する第２枝部２３の弾性によって第１中間枝部２２に掛けられる第１掛け部２６を有し、第４枝部３２は、第３枝部３１に対する弾性によって第１曲げ部２４に掛けられる第２掛け部３３を有する。
また、第２スナップ５０において、第３端部６０は、両側にそれぞれ伸びた第５枝部６１および第６枝部６３を有し、第４端部７０は、両側にそれぞれ伸びた第７枝部７１および第８枝部７２を有し、第５枝部６１は、第３中間枝部６２を介して第７枝部７１に続き、第６枝部６３は、第４端部７０に向かう中間の第２曲げ部６４において第３中間枝部６２に向けて曲がった第４中間枝部６５を有し、第４中間枝部６５は、第５枝部６１に対する第６枝部６３の弾性によって第３中間枝部６２に掛けられる第３掛け部６６を有し、第８枝部７２は、第７枝部７１に対する弾性によって第２曲げ部６４に掛けられる第４掛け部７３を有する。
【００１８】
弾性の作用について、主に図２を参照して説明する。
図２（Ａ）において、第２掛け部３３は、第１曲げ部２４から解放された状態として示され、第４枝部３２は、ルアー連結部６を掛けることができる。図２（Ｂ）において、第２掛け部３３は、第１曲げ部２４に掛けられた状態とされている。つまり、（Ａ）（Ｂ）両者間は、道糸３の方向と交差する方向における互いの弾性を利用した適切な外力を加えることで相互に変換される。
なお、第１端部２０の側においても第１掛け部２６は、同様に第１中間枝部２２から解放される。連結環８０の第１端部２０および第３端部６０に対する連結の前後に関する説明として後述する。
第１スナップ１０において、第１端部２０は、第１枝部２１、第２枝部２３、第１中間枝部２２、および第２中間枝部２５で輪状となり、第２中間枝部２５が有する第１掛け部２６は、弾性によって第１中間枝部２２に掛けられるので、連結環８０に連結される。
第１端部２０と連結環８０を連結するときは、解放された第２中間枝部２５に連結環８０を掛けた後、第１掛け部２６を第１中間枝部２２に掛ける。なお、第１掛け部２６は、第２中間枝部２５の先端に鉤状に位置している。
第１スナップ１０において、第２端部３０は、第１中間枝部２２、第３枝部３１、第４枝部３２、および第２中間枝部２５で輪状となり、第４枝部３２が有する第２掛け部３３は、弾性によって第１曲げ部２４に掛けられるので、ルアー連結部６に連結される。なお、第２掛け部３３は、第４枝部３２の先端に鉤状に位置している。
【００１９】
第２スナップ５０は、第１スナップ１０と同様に機能するので第２スナップ５０についての拡大図の図示は省略する。
第２スナップ５０において、第３端部６０は、第５枝部６１、第６枝部６３、第３中間枝部６２、および第４中間枝部６５で輪状となり、第４中間枝部６５が有する第３掛け部６６は、弾性によって第３中間枝部６２に掛けられるので、第１スナップ１０に併せて連結環８０に連結される。
第３端部６０と連結環８０を連結するときは、解放された第４中間枝部６５に連結環８０を掛けた後、第３掛け部６６を第３中間枝部６２に掛ける。なお、第３掛け部６６は、第４中間枝部６５の先端に鉤状に位置している。
第２スナップ５０において、第４端部７０は、第３中間枝部６２、第７枝部７１、第８枝部７２、および第４中間枝部６５で輪状となり、第８枝部７２が有する第４掛け部７３は、弾性によって第２曲げ部６４に掛けられるので、ルアー連結部６に連結される。なお、第４掛け部７３は、第８枝部７２の先端に鉤状に位置している。
つまり、第１スナップ１０および第２スナップ５０は、道糸３（連結環８０）とルアー５（ルアー連結部６）との間において、同様の形態で並列に連結されるので、機械的強度を向上しやすく、容易にルアー５を交換しやすい。
【００２０】
第１スナップ１０について、連結環８０が第１端部２０に連結され、ルアー連結部６が第２端部３０に連結される過程を、連結される前の閉じた状態から連結終了までの過程として更に説明する。
第４枝部３２を第３枝部３１の側に寄せて第２掛け部３３を第１曲げ部２４から外す（図２（Ａ））。これにより、第４枝部３２は、第１曲げ部２４から解放され、第２枝部２３と第２中間枝部２５は、第４枝部３２から解放されて可動状態となる。
次に、第２枝部２３を第１枝部２１の側に寄せて第１掛け部２６を第１中間枝部２２から外す。これにより、第２中間枝部２５は、第１中間枝部２２から解放されて自由端になる（図示省略）。自由端となった第２中間枝部２５に連結環８０を掛ける。連結環８０を第２中間枝部２５に掛けた状態で、第１掛け部２６を第１中間枝部２２に掛けると、第１端部２０と連結環８０は連結される（図２（Ａ））。
更に解放状態の第４枝部３２にルアー連結部６を掛ける（図２（Ａ））。ルアー連結部６を第４枝部３２に掛けた状態で、第２掛け部３３を第１曲げ部２４に掛ければ第２端部３０はルアー連結部６に連結される（図２（Ｂ））。
【００２１】
第２スナップ５０について、連結環８０が第３端部６０に連結され、ルアー連結部６が第４端部７０に連結される過程を、連結される前の閉じた状態から連結終了までの過程として更に説明する。なお、上記したとおり、第２スナップ５０についての拡大図は省略する。
第８枝部７２を第７枝部７１の側に寄せて第４掛け部７３を第２曲げ部６４から外す。これにより、第８枝部７２は、第２曲げ部６４から解放され、第６枝部６３と第４中間枝部６５は、第８枝部７２から解放されて可動状態となる。
次に、第６枝部６３を第５枝部６１の側に寄せて第３掛け部６６を第３中間枝部６２から外す。これにより、第４中間枝部６５は、第３中間枝部６２から解放されて自由端になる（図示省略）。自由端となった第４中間枝部６５に連結環８０を掛ける。連結環８０を第４中間枝部６５に掛けた状態で、第３掛け部６６を第３中間枝部６２に掛けると、第３端部６０と連結環８０は連結される。
更に解放状態の第８枝部７２にルアー連結部６を掛ける。ルアー連結部６を第８枝部７２に掛けた状態で、第４掛け部７３を第２曲げ部６４に掛ければ第４端部７０はルアー連結部６に連結される。
【００２２】
第１スナップ１０と第２スナップ５０との対称性について説明する。
ルアー用連結金具１において、第１スナップ１０および第２スナップ５０は、配置が互いに対称であることが好ましい。第１スナップ１０と第２スナップ５０とは配置が互いに対称であるので、いずれの方向からの外力に対しても均等に対抗しやすく、変形等の損傷を生じにくい。配置が対称であるとは、例えば多少の寸法の違いがあっても良いこと、第２中間枝部２５および第４中間枝部６５の曲がりの向きが対称であることなどを含む概念である。
ルアー用連結金具１において、第１スナップ１０および第２スナップ５０は、形状が互いに対称であることが好ましい。第１スナップ１０と第２スナップ５０とは形状が互いに対称であるので、いずれの方向からの外力に対しても均等に対抗しやすく、変形等の損傷を生じにくい。形状が対称であるとは、例えば対称となる部分が同一寸法であることを含む概念であり、一方からの外力に対して他方が反対方向で対抗するので更に変形が生じにくくなる。
【００２３】
本実施の形態に係る擬似餌セット２は、道糸３に連結される連結環８０と、ルアー５の先端に位置するルアー連結部６と、連結環８０とルアー連結部６との間のルアー用連結金具１と、を有する。つまり、擬似餌セット２は、道糸３に連結される連結環８０と、連結環８０に連結されるルアー用連結金具１と、ルアー用連結金具１に連結されるルアー連結部６とを備える。
このため、擬似餌セット２は、ルアー５の交換が容易で、外力への対抗力が大きく変形しにくく、損傷しにくいという効果を奏する。したがって、擬似餌セット２は、釣果が向上しやすい。
【００２４】
[実施の形態２（図３、図４）]
図３および図４を参照して、本考案の実施の形態２に係るルアー用連結金具、および擬似餌セットについて説明する。基本的な構成は、実施の形態１と同様であるので同一の部分については、同一の符号を付して説明を適宜省略する。
図３は、本考案の実施の形態２に係るルアー用連結金具１ｓおよび擬似餌セット２を平面的に示す模式図である。
図４は、図３に示したルアー用連結金具１ｓの第１スナップ１０ｓを拡大して示す拡大模式図であり、スプリットリング８１を第１端部２０ｓに対する連結環８０として使用できる状態を説明する模式図である。
【００２５】
本実施の形態に係るルアー用連結金具１ｓは、道糸３側に位置する半円弧の第１端部２０ｓと、第１端部２０ｓから伸びてルアー５側に位置する半円弧の第２端部３０と、を有する第１スナップ１０ｓと、道糸３側に位置する半円弧の第３端部６０ｓと、第３端部６０ｓから伸びてルアー５側に位置する半円弧の第４端部７０と、を有する第２スナップ５０ｓと、第１端部２０ｓおよび第３端部６０ｓに連結され第１端部２０ｓおよび第３端部６０ｓを道糸３に連結する連結環８０（スプリットリング８１）と、を備え、第２端部３０および第４端部７０は、ルアー５に連結される。
ルアー用連結金具１ｓは、道糸３とルアー５との間に第１スナップ１０ｓおよび第２スナップ５０ｓを並列に連結するので、強度が向上し、大きい魚体によるスナップの変形、損傷を抑制しやすくなり、ルアー５の交換性を維持して釣果の向上を図りやすい。
【００２６】
上記したとおり、ルアー用連結金具１ｓは、第１スナップ１０ｓおよび第２スナップ５０ｓを備える。
第１スナップ１０ｓにおいて、第１端部２０ｓは、両側にそれぞれ伸びた第１枝部２１および第２枝部２３を有し、第２端部３０は、両側にそれぞれ伸びた第３枝部３１および第４枝部３２を有し、第１枝部２１は、第１中間枝部２２を介して第３枝部３１に続き、第２枝部２３は、第２端部３０に向かう中間の第１曲げ部２４において第１中間枝部２２に向けて曲がった第２中間枝部２５ｓを有し、第２中間枝部２５ｓは、第１中間枝部２２に固定された第１固定部２９を有し、第４枝部３２は、第３枝部３１に対する弾性によって第１曲げ部２４に掛けられる第１単独掛け部３９を有する。
また、第２スナップ５０ｓにおいて、第３端部６０ｓは、両側にそれぞれ伸びた第５枝部６１および第６枝部６３を有し、第４端部７０は、両側にそれぞれ伸びた第７枝部７１および第８枝部７２を有し、第５枝部６１は、第３中間枝部６２を介して第７枝部７１に続き、第６枝部６３は、第４端部７０に向かう中間の第２曲げ部６４において第３中間枝部６２に向けて曲がった第４中間枝部６５ｓを有し、第４中間枝部６５ｓは、第３中間枝部６２に固定された第２固定部６９を有し、第８枝部７２は、第７枝部７１に対する弾性によって第２曲げ部６４に掛けられる第２単独掛け部７９を有する。
【００２７】
第１スナップ１０ｓにおいて、第１端部２０ｓは、第１枝部２１、第２枝部２３、第１中間枝部２２、および第２中間枝部２５ｓで開放端の無い輪状となる（図４参照）。したがって、開放端の無い輪状のままでは、第１端部２０ｓは連結環８０に連結できない。しかし、連結環８０としてスプリットリング８１が適用された場合、第１端部２０ｓは、スプリットリング８１の自由リング端８１ｆから挿入され連結される（図４参照）。つまり、スプリットリング８１は、連結環８０となり、道糸３に連結される。
第１スナップ１０ｓにおいて、第２端部３０は、第１中間枝部２２、第３枝部３１、第４枝部３２、および第２中間枝部２５ｓで輪状となりうる。つまり、ルアー連結部６に第４枝部３２を通した後、第４枝部３２が有する第１単独掛け部３９は、弾性によって第１曲げ部２４に掛けられるので、第２端部３０はルアー連結部６に連結される。なお、第１単独掛け部３９は、第２掛け部３３と実質同一である。
第２スナップ５０ｓは、第１スナップ１０ｓと同様に機能するので第２スナップ５０ｓについての拡大図の図示は省略する。
第２スナップ５０ｓにおいて、第３端部６０ｓは、第５枝部６１、第６枝部６３、第３中間枝部６２、および第４中間枝部６５ｓで開放端の無い輪状となる。したがって、開放端の無い輪状のままでは、第３端部６０ｓは連結環８０に連結できない。しかし、連結環８０としてスプリットリング８１が適用された場合、第３端部６０ｓは、スプリットリング８１の自由リング端８１ｆから挿入され連結される。つまり、スプリットリング８１は、連結環８０となり、道糸３に連結される。
第２スナップ５０ｓにおいて、第４端部７０は、第３中間枝部６２、第７枝部７１、第８枝部７２、および第４中間枝部６５ｓで輪状となりうる。つまり、ルアー連結部６に第８枝部７２を通した後、第８枝部７２が有する第２単独掛け部７９は、弾性によって第２曲げ部６４に掛けられるので、第２端部３０はルアー連結部６に連結される。なお、第２単独掛け部７９は、第４掛け部７３と実質同一である。
第１スナップ１０ｓおよび第２スナップ５０ｓは、道糸３（連結環８０）とルアー５（ルアー連結部６）との間において、同様の形態で並列に連結されるので、機械的強度を向上しやすく、容易にルアー５を交換しやすい。
【００２８】
第１固定部２９において、第１中間枝部２２と第２中間枝部２５ｓは、互いに溶接で固定され、第２固定部において、第３中間枝部６２と第４中間枝部６５ｓは、互いに溶接で固定されていることが好ましい。また、連結環８０は、上記したとおり、スプリットリング８１であることが好ましい。
第１端部２０ｓおよび第３端部６０ｓの側は、第１固定部２９および第２固定部６９が溶接されて閉じているので、第１スナップ１０ｓ（第１端部２０ｓ）および第２スナップ５０ｓ（第３端部６０ｓ）の形状は、簡略化され、強度を確保しやすい。また閉じた状態の第１端部２０ｓおよび第３端部６０ｓへ連結環８０を連結するためにスプリットリング８１が適用されるので、第１スナップ１０ｓおよび第２スナップ５０ｓの扱いが容易となる。
【００２９】
第１スナップ１０ｓと第２スナップ５０ｓとの対称性について説明する。
ルアー用連結金具１ｓにおいて、第１スナップ１０ｓおよび第２スナップ５０ｓは、配置が互いに対称であることが好ましい。実施の形態１と同様であるので詳細な説明は省略する。
ルアー用連結金具１ｓにおいて、第１スナップ１０ｓおよび第２スナップ５０ｓは、形状が互いに対称であることが好ましい。実施の形態１と同様であるので詳細な説明は省略する。
本実施の形態に係る擬似餌セット２は、道糸３に連結される連結環８０と、ルアー５の先端に位置するルアー連結部６と、連結環８０とルアー連結部６との間のルアー用連結金具１ｓと、を有する。つまり、擬似餌セット２は、道糸３に連結される連結環８０と、連結環８０に連結されるルアー用連結金具１ｓと、ルアー用連結金具１に連結されるルアー連結部６とを備える。実施の形態１と同様であるので詳細な説明は省略する。
【産業上の利用可能性】
【００３０】
本考案によるルアー用連結金具１、ルアー用連結金具１ｓ、および擬似餌セット２は、ルアーを用いた釣具に適用されて釣具の利便性と信頼性を向上できるので、産業上の利用性が大きい。
【符号の説明】
【００３１】
１、１ｓ        ルアー用連結金具
２                  擬似餌セット
３                  道糸
５                  ルアー
６                  ルアー連結部
１０、１０ｓ  第１スナップ
２０、２０ｓ  第１端部
２１               第１枝部
２２               第１中間枝部
２３               第２枝部
２４               第１曲げ部
２５、２５ｓ  第２中間枝部
２６               第１掛け部
２９               第１固定部
３０               第２端部
３１               第３枝部
３２               第４枝部
３３               第２掛け部
３９               第１単独掛け部
５０、５０ｓ  第２スナップ
６０、６０ｓ  第３端部
６１               第５枝部
６２               第３中間枝部
６３               第６枝部
６４               第２曲げ部
６５、６５ｓ  第４中間枝部
６６               第３掛け部
６９               第２固定部
７０               第４端部
７１               第７枝部
７２               第８枝部
７３               第４掛け部
７９               第２単独掛け部
８０               連結環
８１               スプリットリング
８１ｆ            自由リング端
【図１】
0003216468.tif 000003
【図２】
0003216468.tif 000004
【図３】
0003216468.tif 000005
【図４】
0003216468.tif 000006